(57)【要約】【課題】発光ユニットの点滅を自動的に制御することができる発光ユニット付電子装置を提供する。【解決手段】外部機器につながれる汎用シリアルバスコネクタと、該汎用シリアルバスコネクタに接続された電気素子と、電気素子に流れてくる電流値がしきい値以上であるとき作動する操作モードと該電流値がしきい値以下であるとき作動する節電モードとになるように構成されたメイン回路ユニットと、電気素子に流れる電流を検知し、検知された電流に基づき制御信号を生成して出力する制御ユニットと、電流値がしきい値以上による制御ユニットから出力された制御信号によりオンにし、電流値がしきい値以下による制御ユニットから出力された制御信号によりオフにするように構成されたスイッチと、スイッチのオン・オフにより点滅する発光ユニットと、を備えている。【選択図】図３
0003155811.tif 000002
【実用新案登録請求の範囲】
【請求項１】
外部機器につながれ、電力が供給されるように構成された発光ユニット付電子装置において、
外部機器につながるように構成される汎用シリアルバスコネクタと、
該汎用シリアルバスコネクタに電気的に接続された電気素子と、
前記電気素子に電気的に接続され、前記電気素子に流れてくる電流値がしきい値以上であるとき作動する操作モードと、該電流値が前記しきい値以下であるとき作動する節電モードとになるように構成されたメイン回路ユニットと、
前記メイン回路ユニットに電気的に接続されると共に前記電気素子を跨いで接続され、前記電気素子に流れる電流を検知し、前記検知された電流に基づき制御信号を生成して出力する制御ユニットと、
前記汎用シリアルバスコネクタと前記制御ユニットとに電気的に接続され、前記電流値が前記しきい値以上になると前記制御ユニットから出力された制御信号によりオンにし、前記電流値が前記しきい値以下になると前記制御ユニットから出力された制御信号によりオフにするように構成されたスイッチと、
前記スイッチに電気的に接続され、前記スイッチのオン・オフにより点滅する発光ユニットと、
を備えていることを特徴とする発光ユニット付電子装置。
【請求項２】
前記メイン回路ユニットは、マイクロコントローラであることを特徴とする請求項１に記載の発光ユニット付電子装置。
【請求項３】
前記しきい値は、５００マイクロアンペアであることを特徴とする請求項２に記載の発光ユニット付電子装置。
【請求項４】
前記制御ユニットは、
前記電気素子を跨いで接続されているプロセッシング部と、前記プロセッシング部と前記スイッチとに電気的に接続されている抵抗器とを有し、
前記プロセッシング部は、前記メイン回路ユニットへ流れる電流による前記電気素子の両端間の電圧に応じて電流を生成し、前記抵抗器に出力し、前記抵抗器が出力電流に応じて電圧を生成し、該プロセッシング部が前記電圧に応じて前記制御信号を生成して前記スイッチに出力する
ことを特徴とする請求項２に記載の発光ユニット付電子装置。
【請求項５】
前記制御ユニットは、前記電気素子を跨いで接続されると共に前記スイッチに電気的に接続されている差動増幅器を有し、
該差動増幅器は、前記電気素子の両端の電圧に応じて電圧を生成し、当該電圧を処理して前記制御信号として前記スイッチに出力する
ことを特徴とする請求項２に記載の発光ユニット付電子装置。
【請求項６】
前記電気素子は、前記汎用シリアルバスコネクタ及び前記マイクロコントローラの間に電気的に接続された抵抗器を有することを特徴とする請求項２に記載の発光ユニット付電子装置。
【請求項７】
前記発光ユニットは、発光ダイオードであることを特徴とする請求項２に記載の発光ユニット付電子装置。
【考案の詳細な説明】
【技術分野】
【０００１】
本考案は、発光ユニット付電子装置に関する。
【背景技術】
【０００２】
従来より、ＵＳＢ（汎用シリアルバス）カードリーダやＵＳＢメモリなどのＵＳＢコネクタを備えた発光ユニット付電子装置が広く用いられている。図１に示すように、ＵＳＢコネクタ１０を備えた発光ユニット１１付電子装置１は、ＵＳＢコネクタ１０を外部機器例えばコンピュータのＵＳＢポート（図示せず）に挿入すると、コンピュータを介して外部電源からの電力を該電子装置１に入れて、該電子装置１の発光ユニット１１を発光させることができる。この発光ユニット１１の発光により、電子装置１が通電していること、また、内蔵のマイクロコントローラ１３によって充電、ファイルの転送などを行える操作状態であることを表示できるのであるが、コンピュータとの接続を絶たない限り、該発光ユニット１１は発光し続けることになり、電力の無駄な消費につがなる。このとき、手動によりスイッチ１２をオフにして発光ユニット１１を発光しないようにすることができるが、使い勝手が悪い。
【０００３】
図２に示すように、電子装置１のマイクロコントローラ１３がスイッチ１２とピン接続されている構成であれば、例えばコンピュータがスリープモード、スイッチオフのときや、カードリーダにメモリカードを挿していないとき、マイクロコントローラ１３が節電モードになると共に、スイッチ１２側にスイッチ１２をオフにする制御信号を送り、発光ユニット１１を消灯することができ、マイクロコントローラ１３が作動モードのとき、スイッチ１２側にスイッチ１２を入れる制御信号を送り、発光ユニット１１を発光させることができる。このように、マイクロコントローラ１３によるスイッチ１２に対するオンオフ制御により、発光ユニット１１を自動的に点滅させることができる。
【考案の概要】
【考案が解決しようとする課題】
【０００４】
上記従来技術では、コンピュータの電力を投入するか否か、メモリカードを挿入するか否かによって発光ユニット１１を点滅させるが、どちらにせよ、コンピュータ等に対する操作が必要である。
【０００５】
本考案は、上記問題点に鑑みてなされたものであり、発光ユニットの点滅を自動的に制御することができる発光ユニット付電子装置を提供することを目的とする。
【課題を解決するための手段】
【０００６】
上記目的を達成するために、本考案は、外部機器につながれ、電力が供給されるように構成された発光ユニット付電子装置において、外部機器につながるように構成されるＵＳＢコネクタと、該ＵＳＢコネクタに電気的に接続された電気素子と、前記電気素子に電気的に接続され、前記電気素子に流れてくる電流値がしきい値以上であるとき作動する操作モードと、該電流値が前記しきい値以下であるとき作動する節電モードとになるように構成されたメイン回路ユニットと、前記メイン回路ユニットに電気的に接続されると共に前記電気素子を跨いで連結され、前記電気素子に流れる電流を検知し、前記検知された電流に基づき制御信号を生成して出力する制御ユニットと、前記ＵＳＢコネクタと前記制御ユニットとに電気的に接続され、前記電流値が前記しきい値以上になると前記制御ユニットから出力された制御信号によりオンにし、前記電流値が前記しきい値以下になると前記制御ユニットから出力された制御信号によりオフにするように構成されたスイッチと、前記スイッチに電気的に接続され、前記スイッチのオン・オフにより点滅する発光ユニットと、を備えていることを特徴とする発光ユニット付電子装置を提供する。
【０００７】
前記電子装置においては、前記メイン回路ユニットは、マイクロコントローラであることが好ましい。
【０００８】
前記電子装置においては、前記しきい値は、５００マイクロアンペアであるとする。
【０００９】
前記電子装置においては、前記制御ユニットは、前記電気素子を跨いで接続されているプロセッシング部と、前記プロセッシング部と前記スイッチとに電気的に接続されている抵抗器とを有し、前記プロセッシング部は、前記メイン回路ユニットへ流れる電流による前記電気素子の両端間の電圧に応じて電流を生成し、前記抵抗器に出力し、前記抵抗器が出力電流に応じて電圧を生成し、該プロセッシング部が前記電圧に応じて前記制御信号を生成して前記スイッチに出力する構成とする。
【００１０】
また、前記制御ユニットは、前記電気素子を跨いで接続されると共に前記スイッチに電気的に接続されている差動増幅器を有し、該差動増幅器は、前記電気素子の両端の電圧に応じて電圧を生成し、当該電圧を処理して前記制御信号として前記スイッチに出力する構成をしてもよい。
【００１１】
前記電子装置においては、前記電気素子は、前記ＵＳＢコネクタ及び前記マイクロコントローラの間に電気的に接続された抵抗器を有することが好ましい。
【００１２】
前記電子装置においては、前記発光ユニットは、発光ダイオードであることが好ましい。
【考案の効果】
【００１３】
本考案の電子装置によれば、制御ユニットは、ＵＳＢコネクタ及びメイン回路ユニットの間に設けられた電気素子に流れる電流、即ち、メイン回路ユニットに流れる電流値が電流しきい値との比較に応じる制御信号によってスイッチのオン・オフを制御し、発光ユニットを点滅させることができるので、コンピュータ等に対する操作と関係なく発光ユニットの点滅を制御することができ、使い勝手がよい。また、従来技術のように制御マイクロコントローラをスイッチ１２とピン接続するものなどの製造の手間を省くことができ、製造のコストダウンにつながる。
【図面の簡単な説明】
【００１４】
【図１】従来の発光ユニット付電子装置を概略示すブロック図である。
【図２】従来の他の発光ユニット付電子装置を概略示すブロック図である。
【図３】本考案にかかる実施例１の発光ユニット付電子装置を示すブロック図である。
【図４】本考案にかかる実施例２の発光ユニット付電子装置を示すブロック図である。
【考案を実施するための形態】
【００１５】
この考案の上記目的と特徴は、以下の実施例の説明を添付図面とあわせて参照することによって明らかとなろう。なお、以下の説明においてその構成や役割が類似するものには、同じ符号をつける。
【実施例１】
【００１６】
図３は、本考案にかかる実施例１の発光ユニット付電子装置３を示すブロック図である。本考案の電子装置３は、例えばＵＳＢ（汎用シリアルバス）カードリーダやＵＳＢメモリのＵＳＢ機器であり、ＵＳＢコネクタ３０により例えばコンピュータなどの外部機器（図示せず）につながるように構成され、ＵＳＢコネクタ３０と、メイン回路ユニット３１と、電気素子３２と、スイッチ３３と、制御ユニット３４と、発光ユニット３５とを備えている。
【００１７】
この電子装置３は、ＵＳＢコネクタ３０を外部機器のＵＳＢポート（図示せず）に挿入して電気的に接続される。なお、外部機器はＵＳＢポートを備えたコンピュータ等であり、電子装置３がＵＳＢコネクタ３０を介して例えばコンピュータ等の外部機器であるホスト機器（図示せず）と電気的に接続されているとき、ホスト機器に電源を投入すると、ホスト機器を介して電子装置３に電力を供給することができる。
【００１８】
メイン回路ユニット３１は、ＵＳＢコネクタ３０に電気的に接続されており、消費する電流値がしきい値以上になると作動される操作モードと、消費する電流値が前記しきい値以下になる作動される節電モードとに作動される構成とする。この例において、メイン回路ユニット３１は、従来から用いられるマイクロコントローラとするが、他の電子部品であってもよい。
【００１９】
なお、ＵＳＢは、ホスト機器と周辺機器を接続するものとして、現在のパーソナルコンピュータ（パソコン）環境では利便性に優れているとされ、最も使用される規格である。この例では、ＵＳＢの規格により、メイン回路ユニット３１に流れる電流のしきい値が５００マイクロアンペアとする。例えば、パソコン等の外部機器がスリープモードでないとき、又はスイッチオン或いはカードリーダにメモリカードを挿入したときなどの、ＵＳＢコネクタ３０及びメイン回路ユニット３１に流れる電流が５００マイクロアンペア以上の場合、メイン回路ユニット３１が操作モードにて作動する。パソコンがスリープモードのとき、又はスイッチオフ或いはカードリーダにメモリカードを挿入していないときなどの、ＵＳＢコネクタ３０及びメイン回路ユニット３１の間に流れる電流値が５００マイクロアンペア以下の場合、メイン回路ユニット３１が節電モードにて作動されるように構成される。
【００２０】
電気素子３２は、ＵＳＢコネクタ３０及びメイン回路ユニット３１の間に電気的に接続されて、ＵＳＢコネクタ３０から供給される電流が電気素子３２を介してメイン回路ユニット３１に供給されるように構成される。この例においては、電気素子３２として、ＵＳＢコネクタ３０及びマイクロコントローラ３１の間に電気的に接続された抵抗器が用いられる。
【００２１】
スイッチ３３は、ＵＳＢコネクタ３０と発光ユニット３５とに電気的に連結されると共に、制御ユニット３４から出力される制御信号を受信可能に制御ユニット３４と電気的に接続されている。制御ユニット３４の詳細は後述する。制御ユニット３４から出力される制御信号により、スイッチ３３をオン・オフにして、発光ユニット３５を点滅させることができる。この例において、スイッチ３３は制御ユニット３４からの信号により制御される電子スイッチであるとしているが、これに限らず、他のタイプのスイッチであってもよい。
【００２２】
制御ユニット３４は、電気素子３２を跨いで接続されると共にスイッチ３３と電気的に接続されている。制御ユニット３４は、電気素子３２に流れる電流に応じた電気素子３２の両端間の電圧に応じて制御信号を生成するように構成され、電気素子３２に流れる電流がしきい値以上であると、スイッチ３３側に出力される制御信号によりスイッチ３３をオンにして発光ユニット３５を点灯させ、また、電気素子３２に流れる電流がしきい値以下であると、スイッチ３３側に出力される制御信号によりスイッチ３３をオフにして発光ユニット３５を消灯させる。
【００２３】
この例においては、制御ユニット３４は、電気素子３２を跨いで接続されているプロセッシング部３４１と、プロセッシング部３４１とスイッチ３３とに電気的に接続されている抵抗器３４２とを有する。プロセッシング部３４１は、メイン回路ユニット３１へ流れる電流による電気素子３２の両端間の電圧に応じて電流を生成し、抵抗器３４２に出力する。抵抗器３４２が当該出力電流に応じて電圧を生成し、該プロセッシング部３４１により当該抵抗器３４２の電圧を制御信号としてスイッチに出力する。
【００２４】
なお、プロセッシング部３４１として、この例においては、電圧を電流に変換させることができる集積回路（例えば型番：ＡＡ１８５０）を用いているが、これに限らない。
【００２５】
メイン回路ユニット３１に流れる電流がしきい値を超えるとき、制御ユニット３４からの制御信号により、スイッチ３３をオンにして、発光ユニット３５を点灯する。又は、メイン回路ユニット３１に流れる電流がしきい値以下であるとき、制御ユニット３４からの制御信号により、スイッチ３３をオフにして、発光ユニット３５を消灯する。なお、この例においては、発光ユニット３５として発光ダイオードを用いているが、他の電子系発光素子であってもよい。
【００２６】
このように、制御ユニット３４は、ＵＳＢコネクタ３０及びメイン回路ユニット３１の間に設けられた電気素子３２に流れる電流、即ち、メイン回路ユニット３１に流れる電流値が電流しきい値との比較に応じる制御信号によってスイッチ３３のオン・オフを制御し、発光ユニット３５を点滅させることができるので、コンピュータ等に対する操作と関係なく発光ユニット３５の点滅を制御することができ、使い勝手がよい。また、従来技術のようなマイクロコントローラをスイッチ１２とピン接続するものなどの製造の手間を省くことができ、従来汎用の電気素子を用いることができ、製造のコストダウンを図ることができる。
【実施例２】
【００２７】
図４は、本考案にかかる実施例２の発光ユニット付電子装置３Ａを示すブロック図である。この実施例においては、前記の実施例１と違うのは、制御ユニット３４に、差動増幅器３４３を用いる点にある。なお、その他の構成は前記実施例１と同様であるため、詳細の説明を省略する。
【００２８】
該差動増幅器３４３は、電気素子３２を跨いで接続されると共にスイッチ３３に電気的に接続されている。該差動増幅器３４３は、電気素子３２の両端間の電圧に応じて電圧を生成し、当該電圧を前記制御信号としてスイッチ３３に出力するように構成される。
このように、この実施例においても、前記実施例１と同様に、コンピュータ等に対する操作と関係なく発光ユニット３５の点滅を制御することができ、使い勝手がよい効果を奏することができる。
【産業上の利用可能性】
【００２９】
以上のように、本考案の発光ユニット付電子装置は、コンピュータ等に対する操作と関係なく発光ユニット３５の点滅を制御することができ、使い勝手がよい。また、従来技術のようなマイクロコントローラをスイッチ１２とピン接続するものなどの製造の手間を省くことができ、従来汎用の電気素子を用いることができ、製造のコストダウンを図ることができる。
【符号の説明】
【００３０】
３、３Ａ  電子装置
３０  ＵＳＢコネクタ
３１  メイン回路ユニット
３２  電気素子
３３  スイッチ
３４  制御ユニット
３４１  プロセッシング部
３４２  抵抗器
３４３  差動増幅器
３５  発光ユニット
【図１】
0003155811.tif 000003
【図２】
0003155811.tif 000004
【図３】
0003155811.tif 000005
【図４】
0003155811.tif 000006